(57)【要約】【課題】既存の災害救助用設備にあっては一人で設営することができなかったり、設営の仕方が煩雑であったり、取り付ける高さによって制約があるほかに、移動方法が難しいなど避難者が避難する際に救助用具の使用に恐怖を感じることによる避難が遅れるおそれがあった。【解決手段】ワンタッチで避難装置を起動できるようなつくりにし、下端部分を固定する金具などを用いない構造とすることで簡単に設営できるようにする。また、避難装置を起動した階よりも上部のフロアからは下部の避難袋に安全に移動できる構造とし、上階において起動した後については起動された避難袋を利用できるようにすることで、どのフロアからも安全に避難できるようにする。【選択図】図１
2006158507.tif 000002
【特許請求の範囲】
【請求項１】
建物内部からの一操作で安全に建物から避難できる避難設備。
【請求項２】
あらゆる高さの建築物であっても避難口を確保できる避難設備。
【請求項３】
調速器を用いることにより避難袋を上端から広げる構造。
【請求項４】
建物外部における固定装置を用意することなく安全に避難導線を確保できる避難設備。
【発明の詳細な説明】
【技術分野】
【０００１】
本発明は建物の高層部などから安全に出入するための消防用避難器具に関するものである。
【背景技術】
【０００２】
既存の消防用救助袋などの避難器具は一人では設営できず、建物の外側で機材を固定するための人がいないと建物から脱出することができないなどの欠点があった。また、現在の救助袋以外の救助装置であっても、備え付けの設備以外については、取り扱い方を知っている者でなければ使用が難しいという欠点があった。
【０００３】
さらに、地震などの災害で、建物の高さが変わってしまう場合や取り付け部が破損してしまう場合についても救助袋を設営することができなくなることがあった。
【０００４】
また、実際に救助救出活動等を行うにあたって、通常の出入り口以外から現場へのアクセスする手段は現在のところ公設消防隊などが特殊な器具や車両を救助を要する建物の付近に持ち込むか、既存の避難設備を設置することで確保した移動導線を利用する以外にはヘリコプターなどの航空機を用いるなど、隣接する建造物から進入導線を確保する方法などが挙げられるが、建物の建てられている場所や周囲の状況によっては救助活動用進入口の確保に難があることも少なくない。
【０００５】
その一方で、一定の高さ以上の建築物には消防用避難器具を設ける必要があるが使用方法の難しいものも多く、また設置場所等の設置条件や仕様の規制により使用方法が難しくても設置せざるを得ない状況も少なからず散見される。
【０００６】
さらに、既存の避難器具を用いて直接避難する場合に、避難途中で止まることができない救助袋やロープと滑車を用いる緩降器などは特に地上までの距離が大きい場合、現実的には避難する際に恐怖心から避難器具の使用に躊躇を伴われる場合もあり、避難が完了するまでに時間を要することが勘案される。
【０００７】
この改善策として、現在の設置基準の制約を受けることなく、高さに対する制限のない簡単に設営できる進入口となりうる避難器具を設ける必要がある。
【発明の開示】
【発明が解決しようとする課題】
【０００８】
解決しようとする問題点は、取り扱いが簡単で、かつ高さの制約を受けずにどのような場所にでも設営できる救助用具を、設置基準の制約を受けずに設けることである。
【課題を解決するための手段】
【０００９】
本発明は、窓部から袋部分を投げ出すだけで避難口が安全に確保されるように袋の底部に取り付けられた重りとそれを結ぶ調速器を設けることで、袋の各部に取り付けられている出入り口部分から安全な出入りができると同時に、袋の中を移動する事ができるようにすることで、外から救助に向かうことを実現できるようにすることを特徴とする  
【発明の効果】
【００１０】
本発明の避難救助設備を利用することで一操作によりあらゆる高さの建造物から避難することができるようになる。
【発明を実施するための最良の形態】
【００１１】
本体を窓部から外の空間に出るようにした上で、袋部の内側につけられた布などでできたはしごを用いて避難できるようにし、通常時は折りたたんだ状態で取り付け部分に固定され、避難器具を使用する際は止め具を外すことのみで使用できるようにすることで利用を簡便にする。また、地上までの高さ以上の避難袋を用意することで高さに対する制限をなくし、上のフロアから避難の場合には、下層階の当該装置に受止め部進入口を設けておくことで下層階において当該装置を用いた避難がなされていても下層階の受け止部の進入口を利用することで外部へ安全に避難でき、また、袋がさらに上の階から設営されていればそのまま袋に設けられた進入口から避難することができるので状況に応じて装置を起動して避難する。避難装置には下層階ですでに起動している場合にも対応できるように最上階以外には上の階からの袋部を受け止められるように開口部のある袋受止部を設けておき、どの階からも避難できるようにすることを実現する。
【実施例１】
【００１２】
図１は、建物及び当該装置設営時の全景の例であり、１に示す建物の各階窓部５から避難できるように、２に示す避難袋取付け部および3に示す避難袋受止め部を起動し、4に示す避難袋で地上階まで避難することができる様にしたときの様態を図示したものである。
【００１３】
図２は当該装置を起動した場合の窓部外側の例を図示したもので、避難袋取付け部２及び避難袋受止め部３が、本装置を使用した場合に窓部５より張り出され、避難袋４が下方へ延長されていることを図示したものである。このとき避難袋取付け部２及び避難袋受止め部３の可動部位に補強装置6に示すような補強を施すことで、各可動部位を固定して安全に避難できる様にする。
【００１４】
図３は当該装置を起動した場合の窓部内側の例を図示したもので、避難袋取付け部２及び避難袋受止め部３が、本装置を使用した場合に窓部５より張り出している状態を示しており、当該装置を利用した避難経路として本装置設置階から２−ａ及び３−ａに示す取付け部進入口および受止め部進入口を経由して避難袋進入口４−ａに至り、避難袋内を通って避難する経路と、上階からの避難者が通り抜ける取付け部貫通口２−ｂおよび受止め部貫通口３−ｂを通って避難袋４内部へ至る経路の両経路を確保することで全ての階から安全に避難できることをあらわしたものである。また、本装置を起動しなかった下層階や起動以前に上層階から避難袋が下ろされている様な場合であっても安全に避難できるよう避難袋４には一定間隔ごとに避難袋進入口４−ａをあらかじめ設けておくものとし、各階に設置される当該装置の避難袋4は地上まで到達できるように充分な長さを確保している必要があると同時に、避難袋受止め部３は上階からの避難袋４を受け止めても問題のない強度を持ち、避難袋取付け部２についても同様に避難袋４を吊り下げて尚且つ袋内部に避難者がいる状態の負荷がかかっても問題のない強度を持つ必要があり、避難袋取付け部２及び避難袋受止め部３の設置についてもそれぞれ負荷がかかったときに設置場所から決して動くことがないように固定される必要がある。
【００１５】
図４は当該装置を起動させた場合を横から見た断面図であり、避難袋取付け部２及び避難袋受止め部３が点線で示した窓部５より建物１の外側へ張り出し避難袋４が下方へ延長され、避難袋取付け部２及び避難袋受止め部３の可動部位に補強装置６がそれぞれ働いており、安全に上方ならびに設置階から避難できることを示したものである。
【００１６】
図５は本装置の設置例を図示したもので、当該装置の収納時の例である。このとき2避難袋取付け部や３避難袋受止め部、4避難袋及び6補強装置などは折りたたまれた状態で収納され、７に示す留め具を引くなどの一つの操作で５窓部より各必要部位が張り出されることで装置が設営され、図２や図３などに示すように安全に避難できる状態となる。
【００１７】
図６は各階に取り付けられる避難袋取付け部の起動された状態のみを抜き出し図示したものであり、8に示す調速器は4避難袋上端付近に進入口が設けられることを考慮して避難袋４が上端側から延長されるように取り付けた例である。避難袋4が上端側から延長されることにより避難袋４内に設けられる布製などのはしごを避難者が安全に利用できるようになる。
【００１８】
図７は避難袋４が接地した場合の下端付近を図示したものであり、４−ｂは避難袋救出口をあらわしており、袋内を通じて移動した避難者はここから袋の外へ出ることで建物外部の安全な場所へ避難することができる。９は図６に示した調速器８にワイヤーなどで結ばれる重りであり、点線にて示す避難袋内はしご１０は避難袋内にあらかじめ取り付けられた避難用のはしごをあらわしている。
【００１９】
図８は避難袋の下端を示したものであり、図７が接地した場合を図示したものであるのに対して本図は中空の状態を図示したものである。当該装置は装置を起動した階よりも上階において後から起動された場合には図２や図３で示したように上階からの避難袋４を下階の装置で受け止める構造としているので、避難袋４の各下端は図８に示すようにさらに下部へと安全に降りることができる構造が求められ、１１に示す避難袋底部のように下端を設けておくことにより、万一避難袋４内で落下事故が起きたとしても１１避難袋底部で事故を止めることで避難時の安全性を高められるようにし、上階からの避難者は底部から下層階に設置された避難袋４へと移動できるようにする。
【００２０】
図９は上階から設営された避難袋４が下層階にて設営された当該装置の避難袋受止め部３で受け止められ、避難可能となった状態になったところを例示したものである。このとき上階から設営された避難袋４は下層階にて設営された避難袋受止め部３により受け止められ、１１避難袋底部は３−ｂ受止め部貫通口及び２−ｂ取付け部貫通口に収まることで下層階の避難袋４へと安全に移ることができることを示している。
【００２１】
図１０は当該装置を起動ささせた場合における避難袋４の概観を図示したものである。避難袋４は調速器８及び重り９とをワイヤーなどで結ぶことで上端から広がりながら下方へ向かい始め、下端が下層階の避難袋受止め部３に接するようであれば図９に示したように設営された上層階から下層階にて設営された設営された避難袋へと移動するが、下端が地面などに接する場合は、４−ｂ避難袋救出口を通じて袋の外へ出られるようにするだけでなく、１２に示した避難袋外はしごを設けておくことで建物が傾いた場合などであっても避難袋内から安全に外部へ通ずることができる例を示したものである。
【産業上の利用可能性】
【００２２】
避難階から一操作で容易に設営できるようにし、どんな高さからも避難できるようにすると同時に、狭い避難場所であっても設置できる避難設備とすることであらゆる建造物に用いることができる。
【図面の簡単な説明】
【００２３】
【図１】当該装置の起動時の全景を示した説明図である。
【図２】当該装置を起動した場合の窓部外側の例を示した説明図である。
【図３】当該装置を起動した場合の窓部内側の例を示した説明図である。
【図４】当該装置を起動させた場合を横から見た断面図で示した説明図である。
【図５】装置の設置例を図示して収納した場合の説明図である。
【図６】当該装置の避難袋取付け部を起動された状態で図示した説明図である。
【図７】当該装置起動時において救助袋の下端付近を図示した説明図である。
【図８】当該装置起動時において救助袋の下端付近を図示した説明図である。
【図９】当該装置起動時において装置の下端と上端付近を図示した説明図である。
【図１０】避難袋の概観を示した説明図である。
【符号の説明】
【００２４】
１    建物
２    避難袋取付け部
２−ａ  避難袋取付け部進入口
２−ｂ  避難袋取付け部貫通部
３    避難袋受止め部
３−ａ  避難袋受止め部進入口
３−ｂ  避難袋受止め部貫通部
４    避難袋
４−ａ  避難袋進入口
４−ｂ  避難袋救出口
５    建物窓部
６    補強装置
７    留め具
８    調速器
９    調速器に取り付けられたおもり
１０  避難袋内はしご
１１  避難袋底部
１２  避難袋外はしご
【図１】
2006158507.tif 000003
【図２】
2006158507.tif 000004
【図３】
2006158507.tif 000005
【図４】
2006158507.tif 000006
【図５】
2006158507.tif 000007
【図６】
2006158507.tif 000008
【図７】
2006158507.tif 000009
【図８】
2006158507.tif 000010
【図９】
2006158507.tif 000011
【図１０】
2006158507.tif 000012